【事件の表示】
　特願２００２−１６９７５２「発光検出装置」拒絶査定不服審判事件〔平成１６年　１月１５日出願公開、特開２００４−　１２４１１〕について、次のとおり審決する。
【結　論】
　本件審判の請求は、成り立たない。
【理　由】
　
１．出願の経緯 
　本願は、平成１４年６月１１日の出願であって、平成１６年８月１２日付けで拒絶査定がなされ、これに対し、同年９月１６日に拒絶査定に対する審判請求がなされるとともに、同年１０月５日付けで手続補正がされた。
　
　その後、当審において平成１９年７月６日付けで平成１６年１０月５日付け手続補正を却下するとともに、同日付で拒絶理由を通知し、これに対し、同年８月２８日付けで手続補正がされたものである。
　
　
２．本願発明
　本願の請求項１に記載された発明は、平成１９年８月２８日付け手続補正書によって補正された明細書の記載からみて、その特許請求の範囲請求項１に記載された次の事項により特定されるとおりのものと認める。
「１次元的又は２次元的に配列された透明な底部を有する複数の反応セルを備える反応槽と、  
　前記反応槽の上方に位置し、下面に前記複数の反応セルと一対一に対応付けられる複数本のキャピラリを備える送液部と、  
　前記送液部を前記反応槽に対して上下方向に駆動する駆動部と、  
　前記反応セルと一対一に対応して前記反応槽の下面に近接して配列された複数の光検出素子を有する光検出部と、  　
　前記反応槽と前記光検出部との間に配置された光透過性の導電膜とを含み、  
　前記反応槽に収められる液体の底面から前記光検出素子の受光面までの距離は１．４ｍｍ以下であり、前記反応槽の各反応セル内で発生する発光を前記光検出部の複数の光検出素子によって個別に検出することを特徴とする発光検出装置。」（以下、「本願発明」という。）
 　 
 　
３．刊行物の記載
（１）当審における拒絶の理由で引用した、本件出願前の平成１３年７月３１日に頒布された特表２００１−５１０３３９号公報（以下、「刊行物１」という。）には、図面と共に次の事項が記載されている。
　
（１ａ）検出系について 
「工程4．検出系 
　検出系は、大きな近位領域（proximal large area）の検出器／イメージャーを使用する、反応チャンバーを含有する反応容器中での平行的な検出および／またはイメージングに関連している。 
　１．概略的説明 
　多重化分子分析系のハイブリダイゼーション法の後、反応容器の反応チャンバー中の各バイオサイトに結合したハイブリダイズした標的分子の量を、定量的に測定しなければならない。本発明においてハイブリダイゼーションを定量するための好ましい検出／イメージング系は、後記で更に詳しく説明するとおり、近位荷電結合素子（CCD）検出／イメージングである（固有の汎用性（化学発光、蛍光および放射性同位体標的分子リポーター基に適応する）、ハイスループットおよび高感度のためである）。 
 　多重化分子分析系に使用する検出／イメージング装置は、複数の固体イメージング装置、例えばCCDのアレイ、フォトコンダクター（光導電体）オンMOS（photoconductor-on-MOS）アレイ、フォトコンダクターオンCMOSアレイ、電荷注入装置（CID）、フォトコンダクターオン薄膜トランジスタアレイ、アモルファスシリコンセンサー、フォトダイオードアレイなどを含むレンズ無しのイメージングアレイよりなる。該アレイは、サンプル（バイオサイトにハイブリダイズした標的分子）の近くに固着させ、サイズにおいては反応チャンバーと同等である。このようにして、サンプルとイメージングアレイとの間にレンズを1個も使用しなくても、結合した標的分子の空間的分布の比較的大きなフォーマットデジタルイメージが得られる。この装置は、 
 　　１）高感度（サブアトモル（subattomole）のDNAの検出）、 
 　　２）ハイスループット（イメージ収集の完了に数秒）、 
 　　３）広いダイナミックレンジにわたる直線的な応答（3〜5桁）、 
 　　４）低いノイズ、 
 　　５）高い量子効率、および 
 　　６）速いデータ収集 
をもたらす。 
　さらに、図1に例示するとおりイメージングアレイをサンプルの近くに配置することにより、収集効率が少なくとも10倍（例えば通常のCCDカメラで見出されるレンズに基づく任意の技術の100倍以上）改善される。したがって、サンプル（発光体または吸収体）は、検出器（イメージングアレイ）にほぼ接触するため、通常のイメージング用光学的部品、例えばレンズおよび鏡が不要になる。無レンズCCDアレイ装置は、光量子およびＸ線粒子の両方に対して非常に高感度であるため、この装置は、放射性同位体、蛍光および化学発光標識分子を検出し定量的にイメージングするために使用することができる。したがって、放射性同位体から蛍光色素にわたる多数の分子標識技術と共に、単一のイメージング装置を使用することができる。 
　本明細書に開示する検出／イメージング装置の発明は、2つのサブクラスに分類することができる。第1のサブクラスは、サンプルサイズに匹敵する比較的大きなフォーマット領域内に複数のイメージング装置を配置する静的なプラットフォームを含む。 
　第2のサブクラスは、イメージング装置のアレイまたはサンプルのいずれかをお互いに関して移動させることにより比較的大きなフォーマットのサンプルをイメージングするためのイメージング装置のより小さなセットを可能にする動的なプラットフォームを含む。 
　したがって、検出／イメージャーの発明の動的な実施形態は、一般に、比較的大きなフォーマットにおけるサンプル（標的分子）からの／による粒子放出の空間的および／または時間的分布の超高感度の検出、高い分解能の定量的デジタルイメージングおよび分光学の方法および装置に関する。本発明の装置は、以下のものを含む： 
 　a）検出される粒子分布の比較的大きなイメージを、光学的レンズを使用することなく得るための、大きな領域の検出アレイ、 
 　b）効率的なイメージングのための方式でセンサーアレイまたはサンプルのいずれかを移動させるためのスキャナー、 
 　c）サンプルを励起したり又はサンプルによる吸収を得るためのエネルギー源。 
　最適には、サンプルイメージに対する検出アレイサイズの比率は、静的フォーマットでは1、動的フォーマットでは1未満である。 
　多重化分子分析で使用する近位検出器／イメージャーの電子的な概要図を、図9に示す。図9は、多重化分子分析系の電子的スキームを示す概要図である。図9に例示するとおり、反応容器は、センサーアレイに結合した光ファイバー面板上に直接配置する。該面板は、ルーチンなクリーニングに適応するためのセンサーの分離、および冷却センサー運転下での超高感度検出のための熱的な分離をもたらす。また、該光学的面板は、選択的コーティングを用いることにより励起照射を濾過するように機能しうる。該センサーアレイは、複数のより小さなセンサーよりなり、該複合アレイが表面領域に接近するようになっている。該励起源は、標的分子に結合した蛍光リポーター基を励起するように機能する。選択したリポーター基に応じて、該励起源は、UVランプ、レーザーまたは当業者が一般に用いる他の光源となることが可能である。該センサーアレイ駆動回路は、センサー内のピクセル電極を計時し、バイアスし、ゲートすることを含む。該冷却回路は、非常に低い熱雑音をもたらすことにより超高感度検出を可能にするためにセンサーアレイの下の熱電冷却器を制御する。基本的には、使用者が運転の必要温度を選択し、フィードバック回路を介して、該センサーアレイは、そのような温度に一定に維持される。該イメージ受信回路は、センサーアレイからデジタルイメージを得るためのものであり、前置増幅、増幅、アナログ−デジタル変換、フィルターリング、多重化、サンプリングおよびホールディング（holding）ならびにフレーム保持（grabbing）機能を含む。最後に、データ処理装置は、必要なパラメーターを分子分析の結果に与えるための、定量的イメージングデータを有する。また、デジタルイメージを表示するために、コンピュータディスプレイが含まれる。」（第５３ページ２５行−５６ページ２２行） 
　
　そして、刊行物１の図１、図９には上記の記載に対応した構成が図示され、図１には、複数の反応チャンバーが２次元的に配置された反応容器の底面に複数のＣＣＤが設けられ、反応容器とＣＣＤとは近接して配置される多重化分子分析検出／イメージング系が図示されており、図９には、複数の反応チャンバーを有する反応容器とセンサーアレイとが面板を介して近接して配置される多重化分子分析系が図示されている。 
 　 
 （１ｂ）反応容器の底について 
「近位イメージングと共に使用する特定の多重化マイクロタイタープレート反応容器は、通常の底無しマイクロタイタープレートに薄膜（典型的にはガラスまたはプラスチック）を結合させることにより作製する。」（第６４ページ１２−１４行） 
 　 　
（１ｃ）流体的に分離した小型バイオサイトチャンバーを有する反応容器について
「２．キャピラリー固着
　バイオサイトの固着のためのもう1つのアプローチは、図4、4aおよび4bに例示されているとおり、反応基体上に少量のバイオサイト溶液を分注するために毛管を使用することを含む。図4は、複数の毛管を使用するバイオサイト固着系を図示する。図4aは、アレイ鋳型によるバイオサイトの固着を示す概要図である。図4bは、ナノリットルウェル中へのバイオサイトの固着を示す概要図である。」（第２９ページ１９−２４行）
　
　そして、刊行物１の図4bには、流体的に分離した小型バイオサイトチャンバーを有する反応容器の個々の反応チャンバーに対して、バイオサイト溶液を分注するための毛管が一対一に対応している、ナノリットル容量ウェルを有するスライドフォーマット中へのバイオサイト固着が図示されている。
　
（２）当審における拒絶の理由で引用した、本件出願前の平成９年３月１８日に頒布された特開平９−７２８４３号公報（以下、「刊行物２」という。）には、ウェルプレートと受光素子との関係に関して、図面と共に次の事項が記載されている。
「【００１１】 
 【発明の実施の形態】図１は本発明のウェルプレートの第１の実施の形態の断面図を示す図である。本発明のウェルプレートは上述した従来のウェルプレートと同様に３５個のウェルを有するものである。本実施の形態の上面図は先の図３（ａ）と同一であるため、ここでは図示を省略する。 
 【００１２】ウェルプレート１０において、各々のウェルを区分する側壁（図１の斜線で示す部分）は従来のウェルプレートと同様にプラスチックによって形成されている。ウェルプレート１０の底部１１はガラスプレートによって形成されている。この底部１１はガラスプレート以外に透明なプラスチック板であっても良い。さらにこのガラスプレート１１の下部には、各々のウェルに対応した位置（ウェルの底部）に複数の集光レンズ（凸レンズ）１２が設けられている。ウェルプレート１０の各々のウェルＷ内には不図示の分注器により試薬が注入され、試料Ｓが試薬２０に浸された状態で収納されている。各ウェル内の試料Ｓは試薬２０に反応して光を発し、試料から発せられた光はウェルプレート１０の下部に設けられた凸レンズ１２によって集光される。凸レンズ１２は試料Ｓに接近しているため、試料からの光の集光効率は非常に高い。各々の対物レンズ１２の集光位置には図１に示すように光検出器１３が配置される。光検出器１３は例えば対物レンズの集光位置に対応した位置（３５ヵ所）にそれぞれ受光素子（例えばフォトダイオード等）１４を配置したものである。夫々の受光素子１４からの検出信号を受信することにより、試料から発せられた光の光量を精度よく測定することができる。これ以外にも、光検出器１３の受光面が高感度の２次元センサで形成されていても良い。」（段落【００１１】、【００１２】） 
 　 
　そして、刊行物２の図１には上記の記載に対応した構成が図示され、試料を収納するための凹部（Ｗ）が複数個配列されたウェルプレートの複数個の凹部それぞれに対応した受光素子（１４）が設けられた光検出器（１３）が図示されている。 
　　
（３）当審における拒絶の理由で引用した、本件出願前の平成１３年１２月４日に頒布された特開２００１−３３３７９７号公報（以下、「刊行物３」という。）には、複数サンプル保持用プレートと光検出器について、図面と共に次の事項が記載されている。
「【００５５】（実施例５：計測装置に関わる実施例その１）図６は、複数サンプルを順次測定するための計測装置の実施例の概念図を示す。図６に示す計測装置は、複数個の計測用サンプルを保持するための手段としての複数サンプル保持用プレート１と、前記複数サンプルに対して個別に試薬を注入する試薬注入手段２と、試薬注入後の前記複数サンプルの呈色状態あるいは吸光度を個別に計測する手段としての複数の光源３および光検出器４と、前記計測値に基づき前記複数サンプルの誘導期間を個別に求め、この誘導期間に基づいて標識酵素の量を演算する図示しない演算手段とからなる。 
 【００５６】複数の試薬注入手段２としては、例えばシリンジポンプを用いる。複数の光源３としては、例えば発光ダイオードを用い、複数の光検出器４としては、例えばフォトダイオードを用いる。」（段落【００５５】、【００５６】） 
 　 
　そして、刊行物３の 図６には上記の記載に対応した構成が図示され、複数の試薬注入手段２と、試薬注入後の複数サンプルの呈色状態あるいは吸光度を個別に計測する光検出器４を有するサンプルの測定のための計測装置が図示されている。 
　
（４）当審における拒絶の理由で引用した、本件出願前の平成１０年３月６日に頒布された特開平１０−６２３３７号公報（以下、「刊行物４」という。）には、導電性材料で構成された保護カバーに関して、次の事項が記載されている。
「【０００８】また、青果物等被測定物からの反射光若しくは透過光が入射される光検出器ｂとしては、フォトダイオード等の光起電力型検出器が一般に採用されており、かつ、被測定物に付着した異物等による汚損や機械的破壊等を防止するため、その光入射側にはガラス等の透明材料にて構成された保護カバーｃが通常設けられている（図１１参照）。 
 【０００９】このため、搬送中において上記トレイｄ等の受部材がローラーコンベアｆとの摩擦帯電等により静電気を帯びた場合（あるいは絶縁性材料にて構成された受部材に載置される被測定物が絶縁性物質でかつ何らかの原因によりこの被測定物が静電気を帯びたような場合）、静電誘導により上記保護カバーｃも帯電されてしまうことがあり、この帯電により光検出器ｂに静電気が発生して微量な電流が光検出器ｂから出力されてしまうことがあった。 
・・・・・・・ 
 【００１３】また、上記受部材が搬送されない装置においても被測定物（あるいは受部材）が静電気を帯びている場合、被測定物等に風があたったり人が近づくことによってその電荷分布が変化しこれにより光検知器に偽電流が流れることがあるため、求められた光学特性の測定精度が大きく低下してしまう問題点を有していた。 
 【００１４】本発明はこの様な問題点に着目してなされたもので、その課題とするところは、上記受部材等の静電気に起因した測定精度の低下が解消される光学特性測定装置を提供することにある。 
 【００１５】 
 【課題を解決するための手段】すなわち、請求項１に係る発明は、絶縁性材料にて構成された受部材に載置された被測定物に対し光を照射する光源と、上記被測定物からの反射光若しくは透過光が入射される光起電力型の光検出器とを備え、この光検出器に入射された反射光若しくは透過光から被測定物の光学特性を測定する光学特性測定装置を前提とし、上記光検出器の光入射側に光透過性の導電性材料にて構成された保護カバーが設けられ、かつ、この保護カバーが接地されていることを特徴とする。」（段落【０００８】−【００１５】）
　
（５）当審における拒絶の理由で引用した、本件出願前の昭和６３年５月１７日に頒布された実願昭６１−１６８７７０号（実開昭６３−７３６３６号）のマイクロフィルム（以下、「刊行物５」という。）には、導電膜に関して、次の事項が記載されている。
「しかし、このように受光素子（９）を前面ガラス（５）に近接配置すると、上記受光素子（９）が静電気による悪影響を受け易い。即ち、ダクト（３）の内部を圧送される原綿に混入している鉄片等が、ダクト内壁に接触したり或いは上記異物同士が接触したりすることによりダクト（３）の内部で静電気が発生し、火花検知装置（１）の前面ガラス（５）が帯電する。この前面ガラス（５）の帯電により該前面ガラス（５）に近接配置された受光素子（９）の出力信号にノイズが発生して誤動作するという不具合があった。 
　そこで、本考案の目的とするところは、前述した受光素子に対する静電気の影響を抑止した、静電気対策を施した火花検知装置を提供することにある。 
　問題を解決するための手段　 
　本考案は前記問題点に鑑みて提案されたもので、上記目的を達成するための技術的手段は、原綿等の微細な被搬送物が圧送されるダクトの内部を覗く透明窓を受光素子の前方に配置し、この受光素子の出力に基づいてダクト内部で発生した火花の有無を判別して電気信号を出力するものにおいて、上記受光素子の前面と透明窓間に透明な導電膜を配置したものである。」（第５ページ２行−第６ページ６行） 
　
（６）当審における拒絶の理由で引用した、本件出願前の平成８年１月１９日に頒布された特開平８−１５１６１号公報（以下、「刊行物６」という。）には、導電性を有する光学窓に関して、次の事項が記載されている。
「【０００４】 
 【発明が解決しようとする課題】ところで、前記化学発光分析計の反応槽４３に導入される試料ガスは、必ずしも乾燥したガスばかりではなく、例えばウェットゼロガスのように湿ったガスも導入されることがある。このようにウェットなガスが反応槽４３に導入されると、光学窓４２の反応槽内部側の表面にウェットガス中に含まれる水分により電荷（ＯＨ基）が発生し、これによって、光学窓４２の電位が変動し、この電位変動に伴って、フォトダイオード４４が設けられている室内４６の電位が変動し、半導体を使用しているフォトダイオード４４に悪影響が及ぼされることになる。結果として、化学発光分析計の出力にウェットガスによる水分干渉影響に相当する信号が発生していた。 
 【０００５】この発明は、上述の事柄に留意してなされたもので、フォトダイオード近傍の電位を一定の電位に安定化させることにより、ウェットガスの影響を低減し、精度の高い測定を行うことができる化学発光分析計を提供することを目的としている。 
 【０００６】 
 【課題を解決するための手段】上記目的を達成するため、この発明は、試料ガスと反応ガスとが供給される反応槽の一側に光学窓を設け、この光学窓に対向する位置に、前記両ガスの反応によって生ずる化学発光を検出するフォトダイオードを配置した化学発光分析計において、前記光学窓に導電性を持たせるとともに、この光学窓をアース電位に落とすようにしている。」（段落【０００５】、【０００６】） 
　
（７）当審における拒絶の理由で引用した、本件出願前の平成９年１月２８日に頒布された特開平９−２６４２６号公報（以下、「刊行物７」という。）には、分注器に関して、図面と共に次の事項が記載されている。
「【００２７】図１は、本発明の実施態様に係る光測定装置の構成図である。この装置では、底面が光透過部材からなるマイクロプレート９００を使用する。図１に示すように、この装置は、（ａ）分注指示信号Ｂ１に従って、マイクロプレート９００の各ウェルに第１試薬を同時に一括分注する自動試薬分注器１１０と、分注指示信号Ｂ２に従って、マイクロプレート９００の各ウェルに第２試薬を同時に一括分注する自動試薬分注器１２０とを備える分注部１００と、（ｂ）マイクロプレート９００を搭載し、搬送指示信号ＣＲに従って初期位置Ｐ０、自動分注器１１０に応じた分注位置Ｐ１、および自動分注器１２０に応じた分注位置Ｐ２にマイクロプレート９００を移動する搬送器２００と、（ｃ）分注制御信号ＣＢを受け、解読して分注指示信号Ｂ１、Ｂ２、および搬送指示信号ＣＲを出力する分注制御部３００と、（ｄ）分注位置Ｐ２で、マイクロプレート９００の各ウェル内のサンプルと試薬との相互作用の結果として発生し、マイクロプレート９００の底面側に出射された光を受光し、マイクロプレート９００の底面側から見た像を結像する光学系４００と、（ｅ）分注部１００、搬送器２００、分注制御部３００、および光学系４００を収納する暗箱５００と、（ｆ）光学系４００の結像面に受光面を有し、受光面上の像を撮像する超高感度のビデオカメラ６００と、（ｇ）ビデオカメラ６００へ向けて撮像制御信号ＣＣを出力するとともに、ビデオカメラ６００から出力された撮像信号ＶＲを入力し、画像処理を施す画像処理部７００と、（ｈ）分注制御部３００へ向けて分注制御信号ＣＢを出力し、画像処理部７００へ向けて画像処理指示信号ＣＩを出力するとともに、画像処理部７００が出力する画像処理信号ＶＰを入力して処理する処理部８００とを備える。 
 【００２８】図２は、自動分注器１１０の構成図である。なお、自動分注器１２０も同様に構成される。図２に示すように、自動分注器１１０は、分注部１１１と、分注指示信号Ｂ１に応じて、分注部１１１を上下に駆動するステッピングモータ１１２と、分注指示信号Ｂ１に応じて、第１試薬の吸引、排出の駆動を行うステッピングモータ１１３とを備える。」（段落【００２７】、【００２８】） 
 　 
　そして、刊行物７の図２には上記の記載に対応した構成が図示され、複数の先端部を有する分注部１１１と、前記分注部を上下に駆動するステッピングモータ１１２を有する分注器が図示されている。 
　
（８）当審における拒絶の理由で引用した、本件出願前の昭和５７年１２月２２日に頒布された実願昭５６-８９９４１号（実開昭５７-２０１９６７号）のマイクロフィルム（以下、「刊行物８」という。）には、微量用分注装置に関して、次の事項が記載されている。
（８ａ）「微量用分注装置は、プレート受台の上方に配設した分注ヘッド部の内腔を、密閉した液溜り室に形成して分注液等を送り出すポンプ装置と連通し、また、液溜り室の底部には、該室の内腔と連通する分注針を縦・横に整列して１２０本それの針先が下向きとなるよう取付け、ポンプ装置により液溜り室内へ分注液を送り込んで室内を分注液で満たし、室内の空気を分注針の針先より全部排出した後、各分注針より一斉に分注するところから、分注する場合は、各分注針により同一量の分注液を正確に分注できるよう各分注針の針先まで液を一杯に満たしておく必要がある。」（第２ページ２−１３行） 
 　 
 （８ｂ）「（４）は機体（１１）に装着した分注ヘッド部で前記プレート受台（２）の上方に配設し、それの内腔を、密閉した液溜り室（４０）に形成し、それの底部には、該室（４０）の内腔と連通し、かつ、針先が下向きとなるよう分注針（４１）を取付け、市販の滴定プレートPの各プレート穴（図示していない）に合わせて、縦・横に整列して１２０本設けてある。また、液溜り室（４０）の天井部に連通させた分注パイプ（５０）の他端を延長して分注液を入れた気密状態の分注液槽（５１）の内腔へ臨ませてある。また、分注液槽（５１）内には別のエアパイプ（５２）を臨ませ他端をポンプ装置（５）の吐出口（５３）と接続連通させてあり、分注液槽（５１）内には、リリーフバルブ（図示していない）により常時一定の空気圧がかかるようにしてある。」（第５ページ１１行−第６ページ１０行） 
　 
　
４．本願発明と刊行物１記載の発明との対比
　 
（１）刊行物１記載の発明 
　刊行物１には、複数の反応チャンバーを有する反応容器と、前記反応容器の底部に近接して配置されたセンサーアレイを有する分析装置が記載されており（上記３．（１ａ）参照）、前記反応チャンバーは２次元的に配列されており（上記３．（１ａ）参照）、前記反応容器は底部が透明であり（上記３．（１ｂ）参照）、分析装置は蛍光および化学発光標識分子を検出し定量的にイメージングするために使用することができ（上記３．（１ａ）参照）、前記センサーアレイは複数のセンサーが配列される（上記３．（１ａ）参照）ことが記載されている。 
 　 
　そうすると、刊行物１には、 
　２次元的に配列された反応チャンバーを有し底部が透明である反応容器と、前記反応容器の底部に近接して配置された複数のセンサーが配列されたセンサーアレイを有する化学発光検出装置（以下、「刊行物１記載の発明」という。） 
が記載されているものと認められる。 
 　  　 
（２）本願発明と刊行物１記載の発明との対比 
　そこで、本願発明と刊行物１記載の発明とを対比すると、刊行物１記載の発明の「２次元的に配列された反応チャンバーを有し底部が透明である反応容器」は、本願発明の「２次元的に配列された透明な底部を有する複数の反応セルを備える反応槽」に相当し、刊行物１記載の発明の「反応容器の底部に近接して配置された複数のセンサーが配列されたセンサーアレイ」は、本願発明の「反応槽の下面に近接して配列された複数の光検出素子を有する光検出部」に相当し、刊行物１記載の発明の「化学発光検出装置」は本願発明の「発光検出装置」に相当する。 
 　 
　すると、本願発明と刊行物１記載の発明とは、 
（一致点） 
「２次元的に配列された透明な底部を有する複数の反応セルを備える反応槽と、反応槽の下面に近接して配列された複数の光検出素子を有する光検出部とを有する発光検出装置」 
である点で一致し、以下の点で相違する。 
　
（相違点１）
　本願発明の反応槽に収められる液体の底面から前記光検出素子の受光面までの距離が「１．４ｍｍ以下」であるのに対して、刊行物１には、反応容器の底部とセンサーアレイとの間の距離についての記載がない点。
 　 
（相違点２） 
　本願発明の検出部の複数の光検出素子は「反応セルと一対一に対応」して配列されており、発光は「反応槽の各反応セル内で発生する発光を前記複数の光検出素子によって個別に検出」されるのに対して、刊行物１には、複数の光検出素子と反応セルとを一対一に対応して配列させる点、及び、反応槽の各反応セル内で発生する発光を前記光検出部の複数の光検出素子によって個別に検出する点について記載されていない点。 
　
（相違点３） 
　本願発明は「反応槽と光検出部との間に配置された光透過性の導電膜」を有するのに対して、刊行物１には導電膜についての記載がない点。 
 　 
（相違点４） 
　本願発明は「反応槽の上方に位置し、下面に前記複数の反応セルと一対一に対応付けられる複数のキャピラリを備える送液部と、前記送液部を前記反応槽に対して上下方向に駆動する駆動部」を有しているのに対して、刊行物１には、複数の反応セルに一対一に対応付けられる複数のキャピラリを備える送液部及び前記送液部の駆動部に関する記載がない点。 
 　 
　
５．相違点についての検討
　上記相違点１について検討するに、刊行物１には、イメージングアレイをサンプルの近くに配置することにより、収集効率が少なくとも１０倍（例えば通常のＣＣＤカメラで見出されるレンズに基づく任意の技術の１００倍以上）改善させること、したがって、サンプル（発光体または吸収体）と検出器がほぼ接触するため、レンズ等の通常のイメージング用光学的部品が不要になることが示されており（上記３．（１ａ）参照）、刊行物１にはサンプルと検出器との間をほぼ接触するくらいの距離にすることが示唆されている。サンプルと検出器とを近接して配置する際に、サンプルと検出器との間の距離を受光効率を考慮して適切な距離の範囲に設定することは、当業者が通常行う事項である。
　また本願発明における「１．４ｍｍ以下」という限定された数値は、本願明細書段落【００２１】における特定の反応セル及び光検出素子を用いた実施条件下において、光検出素子の受光効率から許容できる反応セルと光検出素子の距離の範囲を示したにとどまり、その数値に格別の臨界的意義があるわけでもないから、この数値限定は当業者が適宜選択する事項である。
　
　また、審判請求人は、平成１９年８月２８日付けの意見書の（３）において、本願発明は、光検出部の光検出素子と反応槽の反応セルとを、間にレンズ等の光学系を介することなく、一対一で密着して配置し、反応槽の各反応セル内で発生する発光を反応セルに密着配置した光検出素子によって個別に検出するものであり、これに対して、刊行物１は、サンプルと検出器とを光ファイバー面板を介して対向させており、この光ファイバー面板はレンズと同様の作用をするものであると主張している。しかし、本願発明は、反応セルと光検出素子とを「近接して」配列するものであり、反応セルと光検出素子とを直接「密着して配置」する構成に限定したものではなく、該主張は本願発明の構成に基づくものではない。また刊行物１の光ファイバー面板は、ルーチンなクリーニングに適応するためのセンサーの分離、および冷却センサー運転下での超高感度検出のための熱的な分離をもたらすため、また、選択的コーティングを用いることにより励起照射を濾過するよう機能するものであり（上記３．（１ａ）参照）、刊行物１における光ファイバー面板はレンズとして使用されることを意図するものではなく、審判請求人の主張は失当である。
　
　次に上記相違点２について検討するに、刊行物１の図４ｂには、流体的に分離した小型バイオサイトチャンバーを有する反応容器の個々の反応チャンバーに対して、バイオサイト溶液を分注するための毛管が一対一に対応している構成が図示されている（上記３．（１ｃ）参照）。この記載から、毛管からバイオサイトが分注された後のスライドフォーマットの個々の反応チャンバーは、１本の毛管から供給される１のバイオサイトをそれぞれ有するものと認められ、反応の検出の際にはスライドフォーマットの１つの反応チャンバー内の反応を１つの光学的なデータとして検出するものと認められる。
　一方、複数の反応部を有する装置の検出において、複数の反応部各々に対して受光素子を一対一に配設し、個々のサンプルの検出を各々の受光素子で行う構成は、例えば、刊行物２（上記３．（２）参照）、刊行物３（上記３．（３）を参照）に記載されているように従来周知であり、してみれば、刊行物１記載の装置におけるセンサーアレイの複数のセンサーの配列として、複数の反応チャンバーのそれぞれに対してセンサーを各々一対一に配列する構成を採用し、反応チャンバーでの反応を各々のセンサーで検出する構成とすることは、当業者が容易になし得る事項である。 
　 
　次に上記相違点３について検討するに、静電気の発生や電位の変動による検出器の出力信号におけるノイズを除去するために光検出器の光入射側に導電膜を配置することは、例えば、刊行物４−６（上記３．（４）、３．（５）、３．（６）を参照）に記載されているように、光学測定の際通常行われる事項である。刊行物１の装置において、静電気による検出器のノイズを解消する目的で、発光が起こる反応容器とセンサーアレイとの間に導電膜を配置することは、当業者が必要に応じて適宜なし得る事項である。 
 　 
　次に上記相違点４について検討するに、刊行物７にはマイクロプレートの各ウェルに試薬を同時に一括分注するため各ウェルに対応した複数の先端部を有する自動試薬分注器が記載されており、前記分注部を上下に駆動するステッピングモータも記載されている。（上記３．（７）参照）。また、刊行物８には、市販の滴定プレートの穴に合わせて１２０本設けられた分注針を有する微量用分注装置が記載されている（上記３．（８ａ）、３．（８ｂ）参照）。このように、反応セルと一対一に対応した先端部を有する分注器は本件出願時において慣用のものであり、また、分注部を上下移動させるための駆動部、先端部としてキャピラリを使用する構成も本願出願時において周知の事項であるので、刊行物１記載の装置において、反応チャンバー各々に対して一対一に対応する先端部を有する分注器及び分注部を上下移動させるための駆動部を設けること、及び、先端部としてキャピラリを使用することは、当業者が適宜なし得る事項である。 
　
６．むすび
　以上のとおり、本願発明は、刊行物１記載の発明及び周知の技術的事項に基づいて当業者が容易に発明をすることができたものであるから、特許法第２９条第２項の規定により特許を受けることができない。
　
　したがって、その余の請求項に係る発明について検討するまでもなく、本件出願は拒絶するべきものである。
　
　よって、結論のとおり審決する。